(57)【要約】本発明は、バーナー(2)と加熱する水のタンク(3)を内部に配置した二重壁容器(1)を含むガス給湯器に関する。前記容器(1)の２つの壁の間の内部空間(5)の前記バーナー(2)に隣接する部分(5')には、ガラスウールもしくはロックウールの内層(6)及び少なくとも真空パネルより形成された外層(7)を含む断熱システムが配置され、前記真空パネルは粒子の平均粒度が100nmより小さい不活性材料粉末を含む外皮を含んでいる。
2005529303.tif 000002
【特許請求の範囲】
【請求項１】
バーナー(2)と加熱する水のタンク(3)を内部に配置した二重壁容器(1)を含むガス給湯器であって、前記二重壁は断熱システムを含む内部空間を規定しており、前記断熱システムは少なくとも前記内部空間の前記バーナーに隣接する部分にガラスウールもしくはロックウールの内層(6)及び少なくとも真空パネルより形成された外層(7)を含み、前記真空パネルは粒子の平均粒度が100nmより小さい不活性材料粉末を含む外皮を含んでいることを特徴とするガス給湯器。
【請求項２】
断熱システムにおいて、前記内層(6)の容積パーセントが全容積の70〜80％であることを特徴とする、請求項１記載の給湯器。
【請求項３】
ロックウールもしくはガラスウールの内層及び少なくとも真空パネルを含む断熱システムが内部空間のバーナー(2)に隣接する部分(5')のみを占めていることを特徴とする、請求項１又は２記載の給湯器。
【請求項４】
内部空間の前記タンク(3)に隣接する部分(5")に発泡ポリマー材料が充填されていることを特徴とする、請求項３記載の給湯器。
【請求項５】
不活性材料粉末の平均粒度が２〜20nmであることを特徴とする、請求項１〜４のいずれか１項に記載の給湯器。
【請求項６】
前記外皮が金属蒸着されていてもよいプラスチック材料より形成されていることを特徴とする、請求項１〜５のいずれか１項に記載の給湯器。
【請求項７】
不活性材料粉末が無機繊維と混合されていることを特徴とする、請求項１〜６のいずれか１項に記載の給湯器。
【請求項８】
前記無機繊維がガラス繊維であることを特徴とする、請求項７記載の給湯器。
【請求項９】
不活性材料が熱分解法シリカであることを特徴とする、請求項１〜８のいずれか１項に記載の給湯器。
【発明の詳細な説明】
【技術分野】
【０００１】
本発明は、ガス給湯器に関し、詳細には熱の損失を避けるためにバーナーの領域の周囲に配置される断熱システムを設けたガス給湯器に関する。
【背景技術】
【０００２】
一般に「ヒーター」と呼ばれる給湯器にはガスもしくは電気が供給されることが知られている。蓄積タイプのガス給湯器は通常円筒形もしくは平行六面体容器を含み、ここにガスバーナー及び加熱される水を含むタンクが収納される。バーナーは通常この容器の下部を占め、前記タンクを横切って配置された熱交換器に接続され、収納されている水を加熱する。
【０００３】
前記容器は通常二重壁より構成され、その間の隙間には、給湯器のエネルギー効率を低下させることが明らかな熱損失を避けるために必要な断熱材が配置されている。特に、タンクに隣接する隙間の部位にはポリマー断熱材、例えばポリウレタンフォームが挿入され、一方バーナーの位置に隣接する部位には断熱材としてガラスウールもしくはロックウールが用いられている。
【０００４】
しかしながら、このタイプの断熱は、とても高温となる（250〜300℃にも達することがある）バーナー領域において優れた熱遮断性を確保するためにとても厚い層のロックウールを用いることが必要であり、その結果給湯器の制限を増し、あるいは容量を低下させるという欠点がある。
【発明の開示】
【発明が解決しようとする課題】
【０００５】
本発明の目的は、現在用いられているシステムに関して断熱器の容量を増すことなく、熱損失を効率的に避けることのできる断熱システムを備えた給湯器を提供することである。この目的は、その主要な特徴が第１の請求項に示す給湯器により達成され、他の特徴はその後の請求項に示されている。
【課題を解決するための手段】
【０００６】
少なくともバーナーに隣接する給湯器の隙間の部位に本発明に係る２層断熱システムを配置することにより、この給湯器の断熱性を改善し、エネルギーを約10％節約することができる。
【０００７】
特に、ロックウールもしくはガラスウールをベースとする内層が断熱システムの有効体積の約70〜80％を占め、残余の体積を真空パネルが占める場合に最良のエネルギー効率が達成される。
【０００８】
本発明に係る給湯器の利点及び特徴は、添付する図面を参照し、以下の詳細な説明より当業者には明らかであろう。
【発明を実施するための最良の形態】
【０００９】
図１は、本発明に係るガス給湯器が円筒形の二重壁容器１を含み、その内部にバーナー２が、そしてその上に加熱される水のタンク３が配置されていることを示している。バーナー２は前記タンク３を横切っている熱交換器４に接続されている。二重壁は内部空間５を形成し、その下部５’はバーナーに占められている領域に隣接しており、一方上部５”はタンクの領域に隣接しており、図面中の点線は２つの領域５’と５”の間の境界を示している。
【００１０】
図２は、５’における軸に垂直な、給湯器の断面図を示している。図２に示されているように、内部空間の下部領域には少なくとも２つの異なる層、すなわち内層６（これはバーナー２に近く、ロックウールもしくはガラスウールより形成されている）及び外層７（これは真空断熱パネルより形成されている）を含む断熱システムが挿入されている。
【００１１】
このパネルはプラスチック材料を含み、250℃よりも高い温度に達するバーナーとの境界を画する壁と直接接触して配置することはできない。しかし層６は断熱性を有しており、この層のバーナーと接する側と反対側の表面はより温度が低く、このパネルは耐えることができる。すなわち、周囲を層６で囲まれたパネルは同じ厚さのガラスウールもしくはロクウールの層よりも断熱性が高くなる。このパネルを層６で包むことにより、内層はパネルを熱劣化から保護し、系の断熱性を著しく高めるという相乗効果が得られる。
【００１２】
この２層断熱システムは内部空間の部位５”にも配置してよいが、この領域の温度は低く、高い効率の断熱は必要ないため、従来の断熱材料、例えば発泡ポリマー材料で部分５”を満たすことが好ましい（経済的理由のため）。内部空間の部位５’と５”の間の分離は幾何学的であってよく、又は分離要素で分離してもよい。
【００１３】
周知のように、真空断熱パネルは充填材が真空下に存在する外皮より形成されている。この外皮はパネルの内部に大気中の気体が入ることを防ぐ（あるいはできるだけ低減する）機能を有し、適用に必要な断熱レベルを可能にする真空レベルを保ち、いわゆる「バリヤー」シートより製造され、ガス透過性ができるだけ低いことを特徴とする。充填材料は、パネル内を真空にした際の外皮の２つの向かいあう面の間の空間の主要な機能を有し、多孔質もしくは不連続内部構造を有し、多孔性もしくはその隙間が排気され、断熱性を発揮すべきである。
【００１４】
本発明に係る給湯器に用いられる真空パネルは、充填材料として、粒子の平均粒度が100nmより小さい、好ましくは２〜20nmである不活性粉末を含む。周知のように、このタイプのパネルの断熱性はその内部圧（これは数十ミリバールに達する）によってわずかに変化する。このため、このパネルの外皮は有利には、プラスチック材料、例えばポリオレフィン（金属蒸着していてもよい）より製造される。
【００１５】
本発明の好ましい態様によれば、この粉末の不活性材料はシリカであり、好ましくは無機繊維、例えばガラス繊維と混合され、圧縮して数mmの厚さの板（これは容易に曲げることができる）を容易に形成できるようにする。
【００１６】
本発明に用いるシリカは例えば、ドイツのDegussa社により製造されている沈殿シリカであってよい。好ましくは、商品名Nanogelとして米国のCABOT社により又はドイツのWacker社により製造販売されている、適当なチャンバー内で酸素によりＳｉＣｌ4を焼くことにより得られるシリカの形態である熱分解法シリカが用いられる。
【００１７】
ここに記載の本発明の態様に対して、当業者は本発明の範囲から離れることなく可能な変更及び／又は追加を行ってよい。
【図面の簡単な説明】
【００１８】
【図１】本発明の給湯器の縦断面図である。
【図２】図１のラインＩ−Ｉ’における給湯器の横断面図である。
【図１】
2005529303.tif 000003
【図２】
2005529303.tif 000004
【国際調査報告】
2005529303.tif 000005
2005529303.tif 000006